(57)【要約】【課題】ＤＥＣＴ規格に準拠した無線通信において、通信環境に応じて最適な変調方式を選択すること。【解決手段】ドアホン子機５００は、各ＤＥＣＴチャネルのＲＳＳＩをＲＳＳＩテーブルに記録するＲＳＳＩテーブル作成部５０６と、映像データ、音声データそれぞれについて、変調方式およびＤＥＣＴチャネルを、ＲＳＳＩテーブルに基づいて選択し、ドアホン親機に変調方式およびＤＥＣＴチャネルを指定し、変調方式およびＤＥＣＴチャネルを用いて通信を行うように送信系列（送信部５０８、ＤＥＣＴ信号変調部５０７）および受信系列（受信部５０３、ＤＥＣＴ信号復調部５０４）を制御する制御部５０５と、を具備する。【選択図】図３
2016201698.tif 000002
【特許請求の範囲】
【請求項１】
通信相手装置とＤＥＣＴ規格に準拠した無線通信を行う無線通信装置であって、
各ＤＥＣＴチャネルのＲＳＳＩをＲＳＳＩテーブルに記録するＲＳＳＩテーブル作成部と、
映像データ、音声データそれぞれについて、変調方式およびＤＥＣＴチャネルを、前記ＲＳＳＩテーブルに基づいて選択し、前記通信相手装置に前記選択した変調方式およびＤＥＣＴチャネルを指定し、前記選択した変調方式およびＤＥＣＴチャネルを用いて通信を行うように送信系列および受信系列を制御する制御部と、
を具備する無線通信装置。
【請求項２】
前記制御部は、
ＲＳＳＩが第１閾値未満のＤＥＣＴチャネルが有る場合、映像データ用に高速用の変調方式を指定し、
ＲＳＳＩが前記第１閾値以上第２閾値未満のＤＥＣＴチャネルが有る場合、音声データ用に低速用の変調方式を指定する、
請求項１に記載の無線通信装置。
【請求項３】
前記通信相手装置は、玄関子機と有線接続するドアホン親機であり、
前記無線通信装置は、ドアホン子機である、
請求項１または請求項２に記載の無線通信装置。
【請求項４】
複数の通信相手装置と同時にＤＥＣＴ規格に準拠した無線通信を行うことが可能な無線通信装置であって、
映像データ、音声データそれぞれについて、前記各通信相手装置が指定した変調方式およびＤＥＣＴチャネルを登録する登録部と、
前記登録された変調方式およびＤＥＣＴチャネルを用いて通信を行うように送信系列および受信系列を制御する制御部と、
を具備する無線通信装置。
【請求項５】
前記通信相手装置は、ドアホン子機であり、
前記無線通信装置は、玄関子機と有線接続するドアホン親機である、
請求項４に記載の無線通信装置。
【請求項６】
玄関子機と、前記玄関子機と有線接続するドアホン親機と、前記ドアホン親機とＤＥＣＴ規格に準拠した無線通信を行うドアホン子機と、を有するドアホンシステムであって、
前記ドアホン子機は、
各ＤＥＣＴチャネルのＲＳＳＩをＲＳＳＩテーブルに記録するＲＳＳＩテーブル作成部と、
映像データ、音声データそれぞれについて、変調方式およびＤＥＣＴチャネルを、前記ＲＳＳＩテーブルに基づいて選択し、前記ドアホン親機に前記選択した変調方式およびＤＥＣＴチャネルを指定し、前記選択した変調方式およびＤＥＣＴチャネルを用いて通信を行うように送信系列および受信系列を制御する制御部と、
を有する、
ドアホンシステム。
【請求項７】
前記ドアホン親機は、
前記複数のドアホン子機と同時にＤＥＣＴ規格に準拠した無線通信を行うことが可能であり、
前記各ドアホン子機が指定した変調方式およびＤＥＣＴチャネルを登録する登録部と、
前記登録された変調方式およびＤＥＣＴチャネルを用いて通信を行うように送信系列および受信系列を制御する制御部と、
を有する、
請求項６に記載のドアホンシステム。
【発明の詳細な説明】
【技術分野】
【０００１】
本発明は、ＤＥＣＴ規格に準拠した無線通信を行う無線通信装置およびドアホンシステムに関する。
【背景技術】
【０００２】
ドアホンシステムとは、訪問者が玄関に設置されている玄関子機を用いて、訪問通知をすると、在宅者は部屋に設置されているドアホン親機またはドアホン子機を用いて訪問者に応答し、訪問者と通話することができるシステムである。
【０００３】
近年、ドアホン親機とドアホン子機とを無線で繋ぐ無線ドアホンシステムが開発されている（例えば、特許文献１参照）。これにより、ドアホン子機を携帯可能な無線通信装置とすることができるので、ユーザの行動範囲が広がり、利便性が高まる。
【先行技術文献】
【特許文献】
【０００４】
【特許文献１】特開２００８−０２８７２１号公報
【発明の概要】
【発明が解決しようとする課題】
【０００５】
ドアホンシステムの親機／子機間では、ＤＥＣＴ（Digital Enhanced Cordless Telecommunications）規格に準拠した無線通信が行われる。これまで、ＤＥＣＴ規格で使用されている変調方式は、ＧＦＳＫのみであり、ＤＥＣＴ規格に準拠した無線通信において、通信環境に応じて変調方式（ビットレート）を選択することができなかった。
【０００６】
ところが、最近、動画等の大量のデータの高速通信が求められるアプリケーションに対応するため、多値変調を使用し、ＧＦＳＫの６倍のビットレートで通信可能なＩＣが開発された。これにより、ＤＥＣＴ規格で１６ＱＡＭ等のＧＦＳＫ以外の変調方式の使用が可能になった。
【０００７】
本開示は、ＤＥＣＴ規格に準拠した無線通信において、通信環境に応じて最適な変調方式を選択することができる無線通信装置およびドアホンシステムを提供することを目的とする。
【課題を解決するための手段】
【０００８】
本開示の無線通信装置は、通信相手装置とＤＥＣＴ規格に準拠した無線通信を行う無線通信装置であって、各ＤＥＣＴチャネルのＲＳＳＩをＲＳＳＩテーブルに記録するＲＳＳＩテーブル作成部と、映像データ、音声データそれぞれについて、変調方式およびＤＥＣＴチャネルを、前記ＲＳＳＩテーブルに基づいて選択し、前記通信相手装置に前記選択した変調方式およびＤＥＣＴチャネルを指定し、前記選択した変調方式およびＤＥＣＴチャネルを用いて通信を行うように送信系列および受信系列を制御する制御部と、を具備する。
【０００９】
本開示のドアホンシステムは、玄関子機と、前記玄関子機と有線接続するドアホン親機と、前記ドアホン親機とＤＥＣＴ規格に準拠した無線通信を行うドアホン子機と、を有するドアホンシステムであって、前記ドアホン子機は、各ＤＥＣＴチャネルのＲＳＳＩをＲＳＳＩテーブルに記録するＲＳＳＩテーブル作成部と、映像データ、音声データそれぞれについて、変調方式およびＤＥＣＴチャネルを、前記ＲＳＳＩテーブルに基づいて選択し、前記ドアホン親機に前記選択した変調方式およびＤＥＣＴチャネルを指定し、前記選択した変調方式およびＤＥＣＴチャネルを用いて通信を行うように送信系列および受信系列を制御する制御部と、を有する。
【発明の効果】
【００１０】
本開示によれば、ＤＥＣＴ規格に準拠した無線通信において、通信環境に応じて最適な変調方式を選択することができる。
【図面の簡単な説明】
【００１１】
【図１】本開示の一実施の形態に係るドアホンシステムの概要の一例を示す図
【図２】本開示の一実施の形態に係るドアホン親機の構成を示すブロック図
【図３】本開示の一実施の形態に係るドアホン子機の構成を示すブロック図
【図４】本開示の一実施の形態に係るドアホン子機が作成するＲＳＳＩテーブルの一例を示す図
【図５】本開示の一実施の形態に係るドアホン親機とドアホン子機との間の通信手順を示すシーケンス図
【図６】本開示の一実施の形態に係るドアホン子機の動作を示すフローチャート
【発明を実施するための形態】
【００１２】
以下、本開示の一実施の形態について、図面を参照して詳細に説明する。
【００１３】
＜ドアホンシステムの概要＞
図１は、本実施の形態に係るドアホンシステムの概要の一例を示す図である。
【００１４】
図１に示すように、ドアホンシステム１００は、建物２００の玄関に配置される玄関子機３００と、建物２００の室内に配置されるドアホン親機４００と、携帯可能なドアホン子機５００と、から構成される。なお、ドアホン親機４００およびドアホン子機５００は、ＤＥＣＴ規格に準拠した無線通信装置であり、１台のドアホン親機４００が複数のドアホン子機５００と同時にＴＤＭＡ通信を行うことができる。
【００１５】
玄関子機３００は、図示しない、呼び鈴ボタン、訪問者を撮影するカメラ、訪問者の音声を収音するマイクロフォン、および、音声を出力するスピーカ等を、有し、ドアホン親機４００と有線通信を行うことができる。そして、玄関子機３００は、訪問者が呼び鈴ボタンを押したタイミング、あるいは、親機４００から映像データ、音声データの送信を要求する要求信号を受信したタイミングで、カメラが撮影した映像データおよびマイクロフォンが集音した音声データをドアホン親機４００へ送信する。また、玄関子機３００は、ドアホン親機４００から受信した音声データ、あるいは、ドアホン親機４００を介してドアホン子機５００から受信した音声データを音声としてスピーカから出力する。
【００１６】
ドアホン親機４００は、玄関子機３００から受信した映像データを画面に表示させ、玄関子機３００から受信した音声データをスピーカから出力する。また、ドアホン親機４００は、マイクロフォンが集音した音声データを玄関子機３００に送信する。また、ドアホン親機４００は、各ドアホン子機５００とＤＥＣＴ規格に準拠した無線通信を行い、玄関子機３００から送信された映像データおよび音声データを各ドアホン子機５００に転送することができ、各ドアホン子機５００から送信された音声データを玄関子機３００に転送することができる。
【００１７】
各ドアホン子機５００は、ドアホン親機４００を介して、玄関子機３００から受信した映像データを画面に表示させ、玄関子機３００から受信した音声データをスピーカから出力する。また、各ドアホン子機５００は、マイクロフォンが集音した音声データを、ドアホン親機４００を介して、玄関子機３００に送信する。
【００１８】
＜ドアホン親機の構成＞
次に、本実施の形態に係るドアホン親機４００の構成について、図２のブロック図を用いて説明する。図２に示すように、ドアホン親機４００は、アンテナ４０１と、送受切替回路４０２と、受信部４０３と、ＤＥＣＴ信号復調部４０４と、制御部４０５と、登録部４０６と、ＤＥＣＴ信号変調部４０７と、送信部４０８と、記憶部４０９と、音声入出力部４１０と、操作部４１１と、表示部４１２と、玄関子機通信部４１３と、から主に構成される。
【００１９】
受信部４０３は、各ドアホン子機５００からアンテナ４０１に受信され、送受切替回路４０２を介して入力した受信電波に対して、制御部４０５が指定した、周波数とスロットを組み合わせたチャネル（以下、「ＤＥＣＴチャネル」と称する）で受信処理を行い、ベースバンドの信号を生成する。
【００２０】
ＤＥＣＴ信号復調部４０４は、受信部４０３から出力された信号に対して、制御部４０５が指定した変調方式により復調処理を行い、受信データを得る。ＤＥＣＴ信号復調部４０４は、得られた受信データの内、制御信号を制御部４０５に出力し、音声データを玄関子機通信部４１３に出力する。
【００２１】
制御部４０５は、操作部４１１から出力された電気信号、および、ＤＥＣＴ信号復調部４０４あるいは玄関子機通信部４１３から出力された制御信号に基づいて、記憶部４０９に記憶されたプログラムを用いて、装置全体（特に、受信系列（受信部４０３、ＤＥＣＴ信号復調部４０４）、送信系列（ＤＥＣＴ信号変調部４０７、送信部４０８）、玄関子機通信部４１３）を制御する（図２において、制御信号を破線で示す）。
【００２２】
また、制御部４０５は、各ドアホン子機５００が指定した変調方式およびＤＥＣＴチャネルを各ドアホン子機５００のＩＤと対応付けて登録部４０６に登録する。
【００２３】
ＤＥＣＴ信号変調部４０７は、制御部４０５から出力された制御信号、および、玄関子機通信部４１３から出力された音声データ、映像データに対して、制御部４０５が指定した変調方式により変調処理を行い、送信データを得る。
【００２４】
送信部４０８は、ＤＥＣＴ信号変調部４０７から出力された送信データに対して、制御部４０５が指定したＤＥＣＴチャネルで送信処理を行い、送信電波を、送受切替回路４０２を介して、アンテナ４０１から各ドアホン子機５００に送信する。
【００２５】
記憶部４０９は、ＲＯＭ（Read Only Memory）およびＲＡＭ（Random-Access Memory）を有し、ドアホン親機４００の各種設定データ、プログラムを記憶する。
【００２６】
音声入出力部４１０は、マイクロフォン、スピーカから構成され、玄関子機通信部４１３から出力された受信データに含まれる音声データや着信音を音声に変換してスピーカから出力し、マイクロフォンに集音された音声を音声データに変換して玄関子機通信部４１３に出力する。
【００２７】
操作部４１１は、多様なボタン、ダイヤル、キーを有し、ユーザの意志に基づく操作内容を電気信号に変換して制御部４０５に出力する。
【００２８】
表示部４１２は、ＬＣＤ（Liquid Crystal Display）を有し、玄関子機通信部４１３から出力された受信データに含まれる映像データを表示する。
【００２９】
玄関子機通信部４１３は、有線通信回路および通信ケーブル接続部を有し、玄関子機３００との間で双方向有線通信を行う。玄関子機通信部４１３は、玄関子機３００からの受信データの内、制御信号を制御部４０５に出力し、音声データをＤＥＣＴ信号変調部４０７あるいは音声入出力部４１０に出力し、映像データをＤＥＣＴ信号変調部４０７あるいは表示部４１２に出力する。また、玄関子機通信部４１３は、ＤＥＣＴ信号復調部４０４あるいは音声入出力部４１０から出力された音声データを玄関子機３００に送信する。
【００３０】
＜ドアホン子機の構成＞
次に、本実施の形態に係るドアホン子機５００の構成について、図３のブロック図を用いて説明する。図３に示すように、ドアホン子機５００は、アンテナ５０１と、送受切替回路５０２と、受信部５０３と、ＤＥＣＴ信号復調部５０４と、制御部５０５と、ＲＳＳＩテーブル作成部５０６と、ＤＥＣＴ信号変調部５０７と、送信部５０８と、記憶部５０９と、音声入出力部５１０と、操作部５１１と、表示部５１２と、から主に構成される。
【００３１】
受信部５０３は、ドアホン親機４００からアンテナ５０１に受信され、送受切替回路５０２を介して入力した受信電波に対して、制御部５０５が指定したＤＥＣＴチャネルで受信処理を行い、ベースバンドの信号を生成する。また、受信部５０３は、ドアホン子機５００がドアホン親機４００との無線リンクを確立する前の段階において、ＲＳＳＩテーブル作成部５０６（受信チャネル設定部５５１）が順次設定した候補ＤＥＣＴチャネルで受信処理を行う。
【００３２】
受信部５０３は、受信電波（高周波信号）を増幅するＲＦ増幅部５３１と、高周波信号を中間周波数帯の信号に変換する受信周波数変換部５３２と、中間周波数帯の信号に対して、増幅や、ＤＥＣＴチャネルの周波数幅（１．７２８ＭＨｚ幅）への制限等のＩＦ処理を行うＩＦ処理部５３３と、を有する。ＩＦ処理部５３３は、ＩＦ処理されたＤＥＣＴチャネルのＲＳＳＩ（Received Signal Strength Indicator）をＲＳＳＩテーブル作成部５０６（ＲＳＳＩテーブル記憶部５５３）に出力する。
【００３３】
ＤＥＣＴ信号復調部５０４は、受信部５０３から出力された信号に対して、制御部５０５が指定した変調方式により復調処理を行い、受信データを得る。ＤＥＣＴ信号復調部５０４は、得られた受信データの内、制御信号を制御部５０５に出力し、音声データを音声入出力部５１０に出力し、映像データを表示部５１２に出力する。
【００３４】
制御部５０５は、操作部５１１から出力された電気信号およびＤＥＣＴ信号復調部５０４から出力された制御信号に基づいて、記憶部５０９に記憶されたプログラムを用いて、装置全体（特に、受信系列（受信部５０３、ＤＥＣＴ信号復調部５０４）、送信系列（ＤＥＣＴ信号変調部５０７、送信部５０８）、ＲＳＳＩテーブル作成部５０６）を制御する（図３において、制御信号を破線で示す）。
【００３５】
また、制御部５０５は、ドアホン親機４００から、無線リンク確立の開始を指示する制御信号を受信すると、ＲＳＳＩテーブル作成部５０６に、ＲＳＳＩテーブルの作成を指示する。そして、制御部５０５は、作成されたＲＳＳＩテーブルと閾値とを参照し、使用する変調方式およびＤＥＣＴチャネルを指定する。制御部５０５が指定した変調方式およびＤＥＣＴチャネルを示す制御信号は、ＤＥＣＴ信号変調部５０７、送信部５０８、送受切替回路５０２を介して、アンテナ５０１からドアホン親機４００に送信される。
【００３６】
ＲＳＳＩテーブル作成部５０６は、制御部５０５の指示に基づいて受信部５０３に対して候補ＤＥＣＴチャネルを順次設定する受信チャネル設定部５５１と、ＤＥＣＴチャネルの決定のために用いる閾値を記憶する閾値記憶部５５２と、ＩＦ処理されたＤＥＣＴチャネルのＲＳＳＩをＲＳＳＩテーブルに記録するＲＳＳＩテーブル記憶部５５３と、を有する。なお、ＲＳＳＩテーブルの一例については後述する。
【００３７】
ＤＥＣＴ信号変調部５０７は、制御部５０５から出力された制御信号、および、音声入出力部５１０から出力された音声データに対して、制御部５０５が指定した変調方式により変調処理を行い、送信データを得る。
【００３８】
送信部５０８は、ＤＥＣＴ信号変調部５０７から出力された送信データに対して、制御部５０５が指定したＤＥＣＴチャネルで送信処理を行い、送信電波を、送受切替回路５０２を介して、アンテナ５０１からドアホン親機４００に送信する。
【００３９】
記憶部５０９は、ＲＯＭ（Read Only Memory）およびＲＡＭ（Random-Access Memory）を有し、ドアホン子機５００の各種設定データ、プログラムを記憶する。
【００４０】
音声入出力部５１０は、マイクロフォン、スピーカから構成され、ＤＥＣＴ信号復調部５０４から出力された受信データに含まれる音声データや着信音を音声に変換してスピーカから出力し、マイクロフォンに集音された音声を音声データに変換してＤＥＣＴ信号変調部５０７に出力する。
【００４１】
操作部５１１は、多様なボタン、ダイヤル、キーを有し、ユーザの意志に基づく操作内容を電気信号に変換して制御部５０５に出力する。
【００４２】
表示部５１２は、ＬＣＤ（Liquid Crystal Display）を有し、ＤＥＣＴ信号復調部５０４から出力された受信データに含まれる映像データを表示する。
【００４３】
＜ＲＳＳＩテーブル＞
次に、図４を用いて、ドアホン子機５００（ＲＳＳＩテーブル作成部５０６）が作成するＲＳＳＩテーブルの一例について説明する。なお、ＤＥＣＴ方式では、搬送波を送信するための複数の周波数チャネルが、所定間隔（例えば１．７２８ＭＨｚ間隔）で設定されている。また、ＤＥＣＴ方式のフレームフォーマットは、１フレーム区間が２４個のスロットで分割されている。
【００４４】
図４に示すように、ＲＳＳＩテーブルには、モニタ周波数毎に、フレーム番号（例えば、３００ｍｓの時間を計測する場合、ＤＥＣＴでは１フレーム１０ｍｓであるため、フレーム番号は１〜３０となる）と、スロット番号（１フレームが２４個のスロットに分割されるため、スロット番号は１〜２４となる）とに対応する記憶領域が設けられている。受信部５０３により一定時間連続して受信された信号のＲＳＳＩが、ＲＳＳＩテーブルの、対応するモニタ周波数、フレーム番号、スロット番号の領域に格納される。なお、本実施の形態では、フレーム番号に依らず、モニタ周波数とスロット番号にのみ対応づけるようにＲＳＳＩテーブルを作成し、各スロット番号における最大値をＲＳＳＩテーブルに記録するようにしてもよい。
【００４５】
＜親機／子機間の通信手順＞
次に、ドアホン親機４００とドアホン子機５００との間の無線リンクを確立するまでの通信手順について、図５のシーケンス図を用いて説明する。
【００４６】
ドアホン親機４００とドアホン子機５００との間で無線リンクを確立する場合、まず、ドアホン親機４００が、無線リンク確立の開始を指示する制御信号を生成し、ドアホン子機５００に送信する（ＳＴ６０１、ＳＴ６０２）。
【００４７】
ドアホン子機５００は、当該制御信号を用いて、スロットの先頭およびフレームの先頭のタイミングを検出し、ドアホン親機４００との間で同期を確立する（ＳＴ６０３）。
【００４８】
また、ドアホン子機５００は、各ＤＥＣＴチャネル（周波数とスロットを組み合わせたチャネル）のＲＳＳＩを測定し、ＲＳＳＩテーブルを作成する（ＳＴ６０４）。なお、ドアホン子機５００は、ＲＳＳＩテーブルを定期的に更新する。
【００４９】
ここで、ユーザが、ドアホン子機５００の操作部５１１に対して、モニタボタンの押下等の映像通信を要求する操作を行った場合（ＳＴ６０５）、ドアホン子機５００は、ＲＳＳＩテーブルを参照して、映像データの送受信に使用する変調方式（高速用：例えば、１６ＱＡＭ）を指定し、指定した変調方式を示す制御信号をドアホン親機４００に送信する（ＳＴ６０６）。
【００５０】
ドアホン親機４００は、ドアホン子機５００が指定した変調方式を登録し、当該変調方式による映像データの送受信を許可する旨を通知する制御信号（許可通知）をドアホン子機５００に送信する（ＳＴ６０７）。
【００５１】
次に、ドアホン子機５００は、ＲＳＳＩテーブルを参照して、映像データの送受信に使用するＤＥＣＴチャネルを、ＲＳＳＩが第１閾値（例えば、−８２ｄＢｍ）未満のものの中から指定し、指定したＤＥＣＴチャネルを示す制御信号をドアホン親機４００に送信する（ＳＴ６０８）。
【００５２】
ドアホン親機４００は、ドアホン子機５００が指定したＤＥＣＴチャネルを登録し、当該ＤＥＣＴチャネルを使用した映像データの送受信を許可する旨を通知する制御信号（許可通知）をドアホン子機５００に送信する（ＳＴ６０９）。
【００５３】
以上のＳＴ６０６からＳＴ６０９の各ステップにおける制御信号の送受信により、ドアホン親機４００とドアホン子機５００との間で、映像データ用の無線リンクが確立される（ＳＴ６１０）。
【００５４】
その後、ユーザが、ドアホン子機５００の操作部５１１に対して、通話ボタンの押下等の音声通信を要求する操作を行った場合（ＳＴ６１１）、ドアホン子機５００は、ＲＳＳＩテーブルを参照して、音声データの送受信に使用する変調方式（低速用：例えば、ＧＦＳＫ）を指定し、指定した変調方式を示す制御信号をドアホン親機４００に送信する（ＳＴ６１２）。
【００５５】
ドアホン親機４００は、ドアホン子機５００が指定した変調方式を登録し、当該変調方式による音声データの送受信を許可する旨を通知する制御信号（許可通知）をドアホン子機５００に送信する（ＳＴ６１３）。
【００５６】
次に、ドアホン子機５００は、ＲＳＳＩテーブルを参照して、音声データの送受信に使用するＤＥＣＴチャネルを、ＲＳＳＩが第１閾値（例えば、−８２ｄＢｍ）以上かつ第２閾値（例えば、−６２ｄＢｍ）未満のものの中から指定し、指定したＤＥＣＴチャネルを示す制御信号をドアホン親機４００に送信する（ＳＴ６１４）。
【００５７】
ドアホン親機４００は、ドアホン子機５００が指定したＤＥＣＴチャネルを登録し、当該ＤＥＣＴチャネルを使用した音声データの送受信を許可する旨を通知する制御信号（許可通知）をドアホン子機５００に送信する（ＳＴ６１５）。
【００５８】
以上のＳＴ６１２からＳＴ６１５の各ステップにおける制御信号の送受信により、ドアホン親機４００とドアホン子機５００との間で、音声データ用の無線リンクが確立される（ＳＴ６１６）。
【００５９】
＜ドアホン子機の動作＞
次に、ドアホン子機５００の処理の流れについて、図６のフローチャートを用いて説明する。
【００６０】
まず、ユーザから、映像データの通信要求があった場合（ＳＴ７０１、ＳＴ７０２：ＹＥＳ）、ドアホン子機５００は、ドアホン親機４００に対して、映像データの送受信に使用する変調方式（高速用：例えば、１６ＱＡＭ）を指定する（ＳＴ７０３）。
【００６１】
ドアホン親機４００から許可通知を受信すると（ＳＴ７０４：ＹＥＳ）、ドアホン子機５００は、通信品質の良い（例えば、ＲＳＳＩが−８２ｄＢｍ未満）ＤＥＣＴチャネルを選択し（ＳＴ７０５：ＹＥＳ）、ドアホン親機４００に対して、選択したＤＥＣＴチャネルを、映像データの送受信に使用するものとして指定する（ＳＴ７０６）。
【００６２】
ドアホン親機４００から許可通知を受信すると（ＳＴ７０７：ＹＥＳ）、ドアホン子機５００は、ドアホン親機４００との間で、高速回線による映像通信を開始する（ＳＴ７０８）。
【００６３】
ＳＴ７０７において、ドアホン親機４００から許可通知を受信できない場合（ＳＴ７０７：ＮＯ）、フローはＳＴ７０５に戻り、ドアホン子機５００は、他の通信品質の良いＤＥＣＴチャネルを選択する。
【００６４】
ＳＴ７０２において、映像データ以外の通信要求があった場合（ＳＴ７０２：ＮＯ）、ＳＴ７０４において、ドアホン親機４００から許可通知を受信できない場合（ＳＴ７０４：ＮＯ）、および、ＳＴ７０５において、通信品質の良いＤＥＣＴチャネルが無い場合（ＳＴ７０５：ＮＯ）には、ドアホン子機５００は、ドアホン親機４００に対して、他の変調方式（低速用：例えば、ＧＦＳＫ）を指定する（ＳＴ７０９）。
【００６５】
そして、ドアホン子機５００は、所定の通信品質を満たす（例えば、ＲＳＳＩが−８２ｄＢｍ以上で−６２ｄＢｍ未満）ＤＥＣＴチャネルを選択し（ＳＴ７１０：ＹＥＳ）、ドアホン親機４００に対して、選択したＤＥＣＴチャネルを指定する（ＳＴ７１１）。
【００６６】
ドアホン親機４００から許可通知を受信すると（ＳＴ７１２：ＹＥＳ）、ドアホン子機５００は、ドアホン親機４００との間で、通信を開始する（ＳＴ７１３）。
【００６７】
ＳＴ７１２において、ドアホン親機４００から許可通知を受信できない場合（ＳＴ７１２：ＮＯ）、フローはＳＴ７１０に戻り、ドアホン子機５００は、所定の通信品質を満たす他のＤＥＣＴチャネルを選択する。
【００６８】
ＳＴ７１０において、所定の通信品質を満たすＤＥＣＴチャネルが無い場合（ＳＴ７１０：ＮＯ）には、ドアホン子機５００は、ドアホン親機４００との通信を断念する（ＳＴ７１４）。この場合、ドアホン子機５００は、画面に「接続できません」等の所定のメッセージを表示させる。
【００６９】
＜本実施の形態の効果＞
以上説明したように、本実施の形態によれば、映像データ、音声データのそれぞれについて、ＲＳＳＩテーブルを参照し、変調方式およびＤＥＣＴチャネルを指定することができるので、ＤＥＣＴ規格に準拠した無線通信において、通信環境に応じて最適な変調方式を選択することができる。
【００７０】
なお、上記の実施の形態では、変調方式として、１６ＱＡＭ、ＧＦＳＫの２種類の中から選択する場合について説明したが、本発明はこれに限られず、他の変調方式を選択しても良い。
【００７１】
また、上記の実施の形態では、音声データの変調方式を常にＧＦＳＫとする場合について説明したが、本発明はこれに限られず、音声データの変調方式を、複数の中から通信環境に応じて選択するようにしても良い。
【産業上の利用可能性】
【００７２】
本発明は、ＤＥＣＴ規格に準拠した無線通信を行う無線通信装置およびドアホンシステムに用いるに好適である。
【符号の説明】
【００７３】
１００  ドアホンシステム
２００  建物
３００  玄関子機
４００  ドアホン親機
４０１、５０１  アンテナ
４０２、５０２  送受切替回路
４０３、５０３  受信部
４０４、５０４  ＤＥＣＴ信号復調部
４０５、５０５  制御部
４０６  登録部
４０７、５０７  ＤＥＣＴ信号変調部
４０８、５０８  送信部
４０９、５０９  記憶部
４１０、５１０  音声入出力部
４１１、５１１  操作部
４１２、５１２  表示部
４１３  玄関子機通信部
５００  ドアホン子機
５０６  ＲＳＳＩテーブル作成部
５３１  ＲＦ増幅部
５３２  受信周波数変換部
５３３  ＩＦ処理部
５５１  受信チャネル設定部
５５２  閾値記憶部
５５３  ＲＳＳＩテーブル記憶部
【図１】
2016201698.tif 000003
【図２】
2016201698.tif 000004
【図３】
2016201698.tif 000005
【図４】
2016201698.tif 000006
【図５】
2016201698.tif 000007
【図６】
2016201698.tif 000008